(57)【要約】【課題】利き手の親指と人指し指等をズボン内に入れて、特に前記下着シャツの下部を上に引き上げてパンツの前に到達させることを省略して、陰茎を容易にズボンのチャック外に引出して快適に放尿することを可能にする下着シャツを提供する。【解決手段】男性の下着シャツにおいて、履いたパンツの前部の重ね開口部の前に直接又は間接的に位置する下部中央部に切欠き開口部、又はのれん式開口部、又はフリー重ね開口部を形成したことを特徴とする下着シャツ。これらの開口部の当該下端を解除可能に連結する紐を設ける。また前記切欠き開口部は、Λ（ラムダ）状又は三角状、縦長の楕円状、円形状、ダイヤ状、状の何れか一つにしてなる。前記暖簾式開口部は、中央部のみの暖簾にするか、或いは中央部の暖簾とその両脇の暖簾にしてなる。前記フリー重ね開口部は、中央部で二股にしその内側端縁部を重ねた形状に形成してなる。【選択図】図１
2017206798.tif 000002
【特許請求の範囲】
【請求項１】
男性の下着シャツにおいて、下部中央部に切欠き開口部、又は暖簾式開口部、又はフリー重ね開口部を形成したことを特徴とする下着シャツ。
【請求項２】
前記切欠き開口部は、Λ（ラムダ）状又は三角状、縦長の楕円状、円形状、ダイヤ状、状の何れか一つにしたことを特徴とする請求項１に記載の下着シャツ。
【請求項３】
前記暖簾式開口部は、中央部の暖簾のみにするか、或いは中央部暖簾とその両脇の暖簾にしたことを特徴とする請求項１に記載の下着シャツ。
【請求項４】
前記フリー重ね開口部は、中央部で二股にしその内側端縁部をストレート状又はフリル状にして重ねた形状に形成してなることを特徴とする請求項１に記載の下着シャツ。
【請求項５】
前記下部中央部の切欠き開口部、又は暖簾式開口部、又はフリー重ね開口部の当該下端を解除可能にした連結具を付設したことを特徴とする請求項１に記載の下着シャツ。
【発明の詳細な説明】
【技術分野】
【０００１】  本発明は、男性用の長袖シャツ、半袖シャツ、ランニングシャツなどの所謂下着シャツの改良に関するものである。
【背景技術】
【０００２】  一般に、男性の服装は、パンツに、長袖シャツ又は半袖シャツ、ランニングシャツ等の下着シャツ、股引又はステテコ、ワイシャツ、ズボン、そして上着を順に身に着けている。この服装において男性が放尿する際は、ズボンのチャックを下げ、腰を後ろに引きながら利き手の親指と人指し指等を使って、ワイシャツの下部中央部を分け入り、次に股引又はステテコの前部の重ね開口部を分け入り、次に前記下着シャツの下部を上に引き上げてパンツの前に到達し、パンツの前部の重ね開口部を分け入り、やっと自分の陰茎をつまみ持ちズボンのチャック外に引出して放尿しなければならない極めて厄介な所作が必要となる。
またこの過程で、手間が掛かる為に漏らしてしまうこと、また陰茎は多くの開口部に挟まれ且つ下着シャツの下部に押し下げられて、放尿しにくく放尿に時間がかること、或いは放尿後に残尿に気が付かず陰茎を元に戻す過程で下着内で放出してしまう。
過去に下着シャツの下部中央部に単にスリットを形成した例があるが、これでは着用中に捲れたり位置ずれがするなどしてうまく探り当てれない。
【発明の概要】
【発明が解決しようとする課題】
【０００３】  本発明は、このような問題の中で、利き手の親指と人指し指等をズボン内に入れて、特に前記下着シャツの下部を上に引き上げてパンツの前に到達させることを省略して、陰茎を容易にズボンのチャック外に出して快適に放尿することを可能にする下着シャツを提供する。
【課題を解決するための手段】
【０００４】  上記課題を満足させる本発明の主な技術構成は、次の（１）〜（２）の通りである。
（１）、男性の下着シャツにおいて、下部中央部に切欠き開口部、又は暖簾式開口部、又はフリー重ね開口部を形成したことを特徴とする下着シャツ。
（２）、前記切欠き開口部は、Λ（ラムダ）状又は三角状、縦長の楕円状、円形状、ダイヤ状、状の何れか一つにしたことを特徴とする前記（１）に記載の下着シャツ。
（３）、前記暖簾式開口部は、中央部暖簾のみにするか、或いは中央部暖簾とその両脇の暖簾にしたことを特徴とする前記（１）に記載の下着シャツ。
（４）、前記フリー重ね開口部は、中央部で二股にしその内側端縁部を重ねた形状に形成してなることを特徴とする前記（１）に記載の下着シャツ。
（５）、前記下部中央部の切欠き開口部、又は暖簾式開口部、又はフリー重ね開口部の当該下端を解除可能にした連結具を付設したことを特徴とする前記（１）に記載の下着シャツ。
【発明の効果】
【０００６】  本発明の下着シャツは、利き手の親指と人指し指を、下着シャツの下部を上に引き上げること無く、下着シャツの前記の下部中央部の切欠き開口部、又は暖簾式開口部、又はフリー重ね開口部を難なく通過させて、パンツの前に到達させて、陰茎を容易にズボンのチャック外に出して容易快適に放尿することを可能にした機能下着シャツである。
これにより放尿前に漏らしてしまうことが無く、また陰茎への圧迫を軽減して飛散のないスムーズな放尿を可能にして、残尿や下着内での放出を防止するため、下着やズボンなどへの尿付着による周囲への悪臭放出の無い快適な生活を可能にし老若を問わず世の男性にとって極めて朗報な発明の出現である。
【図面の簡単な説明】
【０００７】
【図１】（１）〜（５）は、本発明の切欠き開口部を形成した下着シャツの実施例１を示す正面説明図である
【図２】（１）〜（２）は、本発明の暖簾式開口部を形成した下着シャツの実施例２を示す正面説明図である
【図３】（１）〜（２）は、本発明のフリー重ね開口部を形成した下着シャツ実施例３を示す正面説明図である。
【発明を実施するための形態】
【０００８】発明を実施するための形態を実施例１〜実施例３により詳細に説明する。
【実施例１】
【０００９】  本例の男性の下着シャツは、図１の（１）〜（５）に示し、下部中央部に切欠き開口部を形成した下着シャツである。
本例の下着シャツは、丸首１０１と両長袖１０２を主体とした長袖シャツ１００を図１の（１）に示し、Ｖネック２０１と両半袖２０２を主体とした半袖シャツ２００を図１の（２）に示し、楕円ネック３０１とノースリーブ３０２を主体としたランニングシャツ３００を図１の（３）に示し、Ｖネック４０１と両半袖４０２を主体とした半袖シャツ４００を図１の（４）に示す。
前記切欠き開口部は、図１の（１）に連結具である締め紐１０４を開口端部に付設して解除可能に結んで示すΛ（ラムダ）状又は三角状の開口部１０３を、図１の（２）に連結具であるマジックテープ（商標）２０４を開口端部に解除可能に付設した縦長の楕円状の開口部２０３を、図１の（３）に連結具である締め紐３０４を開口端部に付設して解除可能に結んで示す円形状の開口部３０３を、図１の（４）にダイヤ状の開口部４０３を各々形成した例を示す。
【実施例２】
【００１０】  本例の男性の下着シャツは、図２の（１）〜（２）に示し、下部中央部に暖簾式開口部を形成した下着シャツである。
本例の下着シャツは、丸首５０１と両長袖５０２を主体とした長袖シャツ５００を図２の（１）に示し、Ｖネック６０１と両半袖６０２を主体とした半袖シャツ６００を図１の（２）に示す。
前記暖簾式開口部は、図２の（１）に中央部の暖簾５０３のみの開口部５０３Ｋを、図２の（２）に中央部の暖簾６０３とその両脇の暖簾６０４の開口部６０４Ｋを各々形成した例を示す。
この暖簾式開口部は本例に限らず、多くの暖簾を下げた開口部にすることも自由になし得る。
前記各暖簾５０３、６０３、６０４はその開口端部に前例で紹介の締め紐、マジックテープ（商標）ゴムひも等のまくれ防止用の連結具を付設してもよい。
【実施例３】
【００１１】  本例の男性の下着シャツは、図３の（１）〜（２）に示し、下部中央部にフリー重ね開口部を形成した下着シャツである。
本例の下着シャツは、丸首７０１と両長袖７０２を主体とした長袖シャツ７００を図３の（１）に示し、Ｖネック８０１と両半袖８０２を主体とした半袖シャツ８００を図３の（２）に示す。
前記フリー重ね開口部は、図３の（１）に中央部でストレート状の二股７０３、７０４にしその内側端縁部７０３ａ，７０４ａを重ねた形状の開口部７０３−４を形成した例を示し、図３の（２）に中央部でフリル状の二股８０３、８０４にし、その内側端縁部８０３ａ，８０４ａを重ねた形状の開口部８０３−４を形成した例を示す。
前記ストレート状の二股７０３、７０４及びフリル状の二股８０３、８０４はその開口端部に締め紐、マジックテープ（商標）、ゴム紐等のまくれ防止用の連結具を付設してもよい。
【産業上の利用可能性】
【００１２】  以上の説明で明らかなように本発明の下着シャツは、放尿前に漏らしてしまうことを防止し、また陰茎への圧迫を軽減して放尿し易くし、残尿や下着内での放出を防止するため、周囲への悪臭放出の無い紳士生活を可能にし老若を問わず世の男性にとって極めて朗報な発明の出現であり、社会貢献に寄与すること多大なものがある。
【符号の説明】
【００１３】１００，６００，８００：長袖シャツ        ４０３：ダイヤ状の開口部
２００，５００，７００，８００：半袖シャツ  ５０３Ｋ：暖簾の開口部
３００：ランニングシャツ                  ６０３Ｋ：暖簾の開口部
１０３：Λ（ラムダ）状又は三角状の開口部  ７０３−４：ストレート状の二股の開口部
２０３：縦長の楕円状の開口部              ８０３−４：フリル状の二股の開口部
３０３円形状の開口部
【図１】
2017206798.tif 000003
【図２】
2017206798.tif 000004
【図３】
2017206798.tif 000005